(57)【要約】  ユーザ装置は、上り信号の送信又は下り信号の受信のために用いられる無線パラメータをグループ化することにより生成されたパラメータセット群の中から、パラメータセットを選択するパラメータセット選択部と、前記選択されたパラメータセットの中から、上り信号又は下り信号に適用する無線パラメータを選択する無線パラメータ選択部と、前記選択された無線パラメータを用いて、上り信号の送信又は下り信号の受信を行う信号送受信部とを有する。
2017170822.tif 000002
【特許請求の範囲】
【請求項１】
上り信号の送信又は下り信号の受信のために用いられる無線パラメータをグループ化することにより生成されたパラメータセット群の中から、パラメータセットを選択するパラメータセット選択部と、
前記選択されたパラメータセットの中から、上り信号又は下り信号に適用する無線パラメータを選択する無線パラメータ選択部と、
前記選択された無線パラメータを用いて、上り信号の送信又は下り信号の受信を行う信号送受信部と、
を有するユーザ装置。
【請求項２】
前記選択されたパラメータセットに固有の無線リソース群の中から、上り信号の送信又は下り信号の受信を行うための無線リソースを選択するリソース選択部を更に有する、請求項１に記載のユーザ装置。
【請求項３】
前記リソース選択部は、当該ユーザ装置に固有の識別子を用いたハッシュ関数の計算結果に基づいて、前記無線リソースを選択する、請求項２に記載のユーザ装置。
【請求項４】
前記信号送受信部は、前記選択されたパラメータセットに固有の識別子を用いてスクランブリングされた下り制御情報を含む下り信号を受信する、請求項１乃至３のうちいずれか１項に記載のユーザ装置。
【請求項５】
上り信号の受信又は下り信号の送信のために用いられる無線パラメータをグループ化することにより生成されたパラメータセット群の中から、パラメータセットを選択するパラメータセット選択部と、
前記選択されたパラメータセットの中から、上り信号又は下り信号に適用する無線パラメータを選択する無線パラメータ選択部と、
前記選択された無線パラメータを用いて、上り信号の受信又は下り信号の送信を行う信号送受信部と、
を有する基地局。
【請求項６】
前記選択された無線パラメータを含む下り制御情報を生成する下り制御情報生成部を更に有する、請求項５に記載の基地局。
【請求項７】
前記下り制御情報生成部は、前記選択されたパラメータセットに固有の識別子を用いて、前記下り制御情報をスクランブリングする、請求項６に記載の基地局。
【請求項８】
ユーザ装置における信号送信又は受信方法であって、
上り信号の送信又は下り信号の受信のために用いられる無線パラメータをグループ化することにより生成されたパラメータセット群の中から、パラメータセットを選択するステップと、
前記選択されたパラメータセットの中から、上り信号又は下り信号に適用する無線パラメータを選択するステップと、
前記選択された無線パラメータを用いて、上り信号の送信又は下り信号の受信を行うステップと、
を有する信号送信又は受信方法。
【請求項９】
基地局における信号送信又は受信方法であって、
上り信号の受信又は下り信号の送信のために用いられる無線パラメータをグループ化することにより生成されたパラメータセット群の中から、パラメータセットを選択するステップと、
前記選択されたパラメータセットの中から、上り信号又は下り信号に適用する無線パラメータを選択するステップと、
前記選択された無線パラメータを用いて、上り信号の受信又は下り信号の送信を行うステップと、
を有する信号送信又は受信方法。
【発明の詳細な説明】
【技術分野】
【０００１】
本発明は、ユーザ装置、基地局、及び信号送信又は受信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。【０００３】
ＬＴＥの後継システムでは、常時接続のクラウドサービスやＩｏＴ（Internet  of  Things）に代表される多数の端末の同時接続をサポートする必要がある。特に、３ＧＰＰ（Third  Generation  Partnership  Project）は、ネットワークに繋がれた装置が人間の手を介さずに相互に通信して自動的に制御を行う機器間通信（Ｍ２Ｍ：Machine-to-Machine）のためのセルラシステムとして、ＭＴＣ（Machine  Type  Communication）の最適化に関する標準化を進めている（非特許文献２）。ＭＴＣ端末（ＭＴＣ  ＵＥ（User  Equipment））は、例えば電気メータ、ガスメータ、自動販売機、車両、その他産業機器などの幅広い分野への利用が考えられており、将来的に端末の同時接続数は飛躍的に増加することが想定される。【０００４】
また、ＬＴＥの後継システムには、データ伝送速度の高速化も求められている。例えば、５ＧではＬＴＥと比較して100倍程度のデータ伝送速度を実現することが求められている。このような高速のデータ伝送をサポートすると共に、コスト削減を図るために送受信帯域幅を限定したＭＴＣ端末のような様々な端末カテゴリをサポートする必要がある。【０００５】
他の例として、ＭＴＣ端末は建物の奥深い場所や、地下などの建物侵入損が大きく、無線通信が困難な場所に配置される可能性があるため、ＬＴＥの後継システムには、カバレッジ拡張も求められている。【０００６】
更に、上記のような高い性能を低コスト且つ低電力のネットワークで提供する必要がある。特に、ＭＴＣ端末の普及を考慮すると、端末の観点からも低コスト化及びバッテリ寿命の延長が求められる。
【先行技術文献】
【非特許文献】
【０００７】
【非特許文献１】3GPP  TS  36.300  "Evolved  Universal  Terrestrial  Radio  Access  (E-UTRA)  and  Evolved  Universal  Terrestrial  Radio  Access  Network  (E-UTRAN);  Overall  description;  Stage  2"
【非特許文献２】3GPP  TS  36.888   "Study  on  provision  of  low-cost  Machine-Type  Communications  (MTC)  User  Equipments  (UEs)  based  on  LTE  (Release  12)"
【発明の概要】
【発明が解決しようとする課題】
【０００８】
多数の端末が基地局に同時接続した場合、データを送受信するための制御情報が増加する、という課題がある。【０００９】
基地局がスケジューリングにより選択したユーザに対しては下り物理制御チャネル（ＰＤＣＣＨ：Physical  Downlink  Control  Channel）にて無線リソースの割り当てが行われる。ＰＤＣＣＨにはスケジューリング情報が含まれており、下りではＤＬスケジューリング情報（DL  Scheduling  Information）、あるいはＤＬ割り当て（DL  Assignment）と呼ばれ、上りではＵＬグラント（UL  grant）と呼ばれる。これらの制御情報には、無線リソースの位置、変調方式、データサイズ（ＴＢＳ：Transport  Block  Size）、送信電力制御用のコマンド等が含まれる。同時接続の端末数の増加に伴い、このような制御情報が増加することが想定される。【００１０】
また、例えば、ＭＴＣ端末の中でも、使用帯域を１８０ｋＨｚ以下に制限することで更なる低コスト化を実現するＭＴＣ端末が検討されている。本検討に係るＷＩ（Work  Item）は、ＮＢ−ＩｏＴ（Narrow  Band-Internet  of  Things）と呼ばれている。ＮＢ−ＩｏＴでは、セルラシステムにおけるカバレッジエリアを改善するために、基地局が制御情報を繰り返し送信し、端末が受信信号を電力合成することが想定される。しかし、繰り返し送信するたびにＰＤＣＣＨを送信した場合は、ＰＤＣＣＨのオーバヘッドが大きくなり、周波数利用効率が低下する。【００１１】
制御情報が増加するという課題は、ＮＢ−ＩｏＴのみならず、多数の端末の同時接続をサポートする無線通信システムで発生し得る。【００１２】
本発明は、上記の課題に鑑みてなされたものであり、データを送受信するための制御情報を低減することを目的とする。
【課題を解決するための手段】
【００１３】
本発明の一形態に係るユーザ装置は、
上り信号の送信又は下り信号の受信のために用いられる無線パラメータをグループ化することにより生成されたパラメータセット群の中から、パラメータセットを選択するパラメータセット選択部と、
前記選択されたパラメータセットの中から、上り信号又は下り信号に適用する無線パラメータを選択する無線パラメータ選択部と、
前記選択された無線パラメータを用いて、上り信号の送信又は下り信号の受信を行う信号送受信部と、
を有することを特徴とする。
【発明の効果】
【００１４】
本発明によれば、データを送受信するための制御情報を低減することが可能になる。
【図面の簡単な説明】
【００１５】
【図１】本発明の実施例に係る無線通信システムの構成例を示す図
【図２】本発明の実施例に係る無線通信システムの処理手順の一例を示すシーケンス図
【図３】パラメータセットとＰＲＡＣＨリソースとの関係の一例を示す図
【図４】パラメータセットと時間・周波数リソース群との関係の一例を示す図
【図５】衝突を軽減するための時間・周波数リソースの設定例を示す図
【図６】本発明の実施例に係るユーザ装置の機能構成例を示す図
【図７】本発明の実施例に係る基地局の機能構成例を示す図
【図８】本発明の実施例に係るユーザ装置のハードウェア構成例を示す図
【図９】本発明の実施例に係る基地局のハードウェア構成例を示す図
【発明を実施するための形態】
【００１６】
以下、図面を参照して本発明の実施例を説明する。なお、以下で説明する実施例は一例に過ぎず、本発明が適用される実施例は、以下の実施例に限られるわけではない。例えば、本実施例に係る無線通信システムはＬＴＥ／ＬＴＥ−Ａに準拠した方式のシステムを想定しているが、本発明はＬＴＥ／ＬＴＥ−Ａに限定されるわけではなく、他の方式にも適用可能である。なお、本明細書及び請求の範囲において、「ＬＴＥ／ＬＴＥ−Ａ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１７】
＜システム構成＞
図１は、本発明の実施例に係る無線通信システムの構成例を示す図である。図１に示すように、本発明の実施例に係る無線通信システムは、基地局ｅＮＢとユーザ装置ＵＥとを有する。図１の例では、基地局ｅＮＢ及びユーザ装置ＵＥが１つずつ図示されているが、複数の基地局ｅＮＢを有していてもよいし、複数のユーザ装置ＵＥを有していてもよい。
【００１８】
基地局ｅＮＢ及びユーザ装置ＵＥは、所定の帯域を用いて下り（ＤＬ：Downlink）及び上り（ＵＬ：Uplink）の通信を行う。所定の帯域は、ＬＴＥ／ＬＴＥ−Ａのシステム帯域（例えば、２０ＭＨｚ）であってもよく、ＬＴＥ／ＬＴＥ−Ａのシステム帯域に比べて狭い帯域（例えば、１．４ＭＨｚ、１８０ｋＨｚ）であってもよい。
【００１９】
例えば、ＭＴＣ端末の中でも、簡易なハードウェア構成で実現可能な低コストＭＴＣ端末（ＬＣ（Low-Cost）−ＭＴＣ  ＵＥ）では、既存の端末（ＬＴＥ端末）に比べて、ピークレートの減少、トランスポートブロックサイズの制限、リソースブロック（ＲＢ（Resource  Block）、ＰＲＢ（Physical  Resource  Block）ともいう）の制限、受信ＲＦの制限などを適用することが検討されている。低コストＭＴＣ端末は、単にＭＴＣ端末と呼ばれてもよい（以後、ＭＴＣ端末と記載する。）また、既存の端末は、ノーマルＵＥ又はｎｏｎ−ＭＴＣ  ＵＥなどと呼ばれてもよい。使用帯域の上限がシステム帯域（例えば、２０ＭＨｚ（１００ＲＢ）、１コンポーネントキャリアなど）に設定される既存のユーザ端末とは異なり、ＭＴＣ端末の使用帯域の上限は所定の帯域（例えば、１．４ＭＨｚ（６ＲＢ））に制限される。帯域が制限されたＭＴＣ端末は、既存の端末との関係を考慮してＬＴＥ／ＬＴＥ−Ａのシステム帯域内で動作させることが検討されている。
【００２０】
また、例えば、ＮＢ−ＩｏＴにおいても、更なる使用帯域の制限を適用することが検討されている。ＮＢ−ＩｏＴでは、使用帯域の上限は更に狭い帯域（例えば、１８０ｋＨｚ）に制限される。このように使用帯域が更に制限された端末は、ＮＢ−ＩｏＴ端末と呼ばれてもよく、単にＭＴＣ端末と呼ばれてもよい。この使用帯域は、ＬＴＥ／ＬＴＥ−Ａのシステム帯域のうち実際に送受信に利用可能な帯域内におけるいずれかの帯域に配置されてもよく、ＬＴＥ／ＬＴＥ−Ａのシステム帯域のうちガードバンドに該当する帯域に配置されてもよく、ＮＢ−ＩｏＴ専用の帯域に配置されてもよい。
【００２１】
ＭＴＣ端末又はＮＢ−ＩｏＴ端末は、サポートする最大の帯域がシステム帯域の一部の帯域である端末と表されてもよいし、ＬＴＥ／ＬＴＥ−Ａのシステム帯域よりも狭帯域の送受信性能を有する端末と表されてもよい。
【００２２】
ユーザ装置ＵＥは、所定の帯域に配置される下り制御チャネルを用いて下り制御情報（ＤＣＩ：Downlink  Control  Information）を受信するが、当該下り制御チャネルは、ＥＰＤＣＣＨ（Enhanced  Physical  Downlink  Control  Channel）と呼ばれてもよいし、特にＭＴＣ端末の場合にはＭＰＤＣＣＨ（ＭＴＣ  ＰＤＣＨ）と呼ばれてもよい。
【００２３】
また、ユーザ装置ＵＥは、所定の帯域に配置される下り共有チャネル（下りデータチャネル）を用いて下りデータを受信するが、当該下り共有チャネルは、ＰＤＳＣＨ（Physical  Downlink  Shared  Channel）と呼ばれてもよいし、特にＭＴＣ端末の場合にはＭＰＤＳＣＨ（ＭＴＣ  ＰＤＳＣＨ）と呼ばれてもよい。
【００２４】
また、ユーザ装置ＵＥは、所定の帯域に配置される上り共有チャネル（上りデータチャネル）を用いて上りデータを送信するが、当該上り共有チャネルは、ＰＵＳＣＨ（Physical  Uplink  Shared  Channel）と呼ばれてもよいし、特にＭＴＣ端末の場合にはＭＰＵＳＣＨ（ＭＴＣ  ＰＵＳＣＨ）と呼ばれてもよい。
【００２５】
また、ＭＴＣ端末向けのＰＵＣＣＨ（Physical  Uplink  Control  Channel）は、ＭＰＵＣＣＨ（ＭＴＣ  ＰＵＣＣＨ）と呼ばれてもよい。以上のチャネルに限らず、ＭＴＣ端末が利用するチャネルは、同じ用途に用いられる従来のチャネルにＭＴＣを示す「Ｍ」を付して表されてもよい。
【００２６】
なお、本発明の実施例に係るユーザ装置ＵＥは、ＭＴＣ端末又はＮＢ−ＩｏＴ端末に限らず、基地局ｅＮＢと通信可能な如何なる装置でもよい。
【００２７】
＜処理手順＞
本発明の実施例では、信号の送信又は受信のために用いられる無線パラメータ（例えば、変調方式・チャネル符号化率（ＭＣＳ：Modulation  and  Coding  Scheme）、トランスポートブロックサイズ（ＴＢＳ：Transport  Block  Size）、送信電力（Tx Power）、無線リソース（時間リソース、周波数リソース、符号リソース）、識別子（ＵＥ−ＩＤ、Ｇｒｏｕｐ  ＵＥ−ＩＤ）（例えば、Ｃ−ＲＮＴＩ（Cell  Radio  Network  Temporary  Identifier））等）をグループ化し、パラメータセット群（例えば、パラメータセット１、パラメータセット２、パラメータセット３、パラメータセット４）を予め設定する。
【００２８】
無線パラメータを適用する信号は、上り信号でもよく、下り信号でもよい。また、無線パラメータを適用する信号には、上りデータ又は下りデータが含まれてもよく、制御情報が含まれてもよい。
【００２９】
例えば、パラメータセット１には、ＭＣＳとして（変調方式＝ＱＰＳＫ、符号化率（×１０２４）＝７８）、（変調方式＝ＱＰＳＫ、符号化率（×１０２４）＝１９３）が設定されてもよく、パラメータセット２には、ＭＣＳとして（変調方式＝ＱＰＳＫ、符号化率（×１０２４）＝４４９）、（変調方式＝１６ＱＡＭ、符号化率（×１０２４）＝３７８）、（変調方式＝１６ＱＡＭ、符号化率（×１０２４）＝４９０）が設定されてもよい。無線パラメータは、具体的な値で指定されてもよく、インデックス値で指定されてもよい。また、１つのパラメータセットに含まれる無線パラメータの数は、１つでもよく、複数でもよい。また、同じ無線パラメータ（例えば、（変調方式＝ＱＰＳＫ、符号化率（×１０２４）＝４４９））が複数のパラメータセット群に含まれてもよい。
【００３０】
基地局ｅＮＢは、ユーザ装置ＵＥとの信号送受信の際に、パラメータセット群の中から１つの無線パラメータを選択し、選択した無線パラメータを下り制御情報（ＤＣＩ）によってユーザ装置ＵＥに通知することで、下り制御情報の量を低減することが可能になる。例えば、ＤＣＩによって２９種類のＭＣＳの中から１つのＭＣＳを指定する場合、少なくとも５ビットが必要となる。一方、例えば、ＤＣＩの通知の前に２種類のＭＣＳを含むパラメータセット１を使用することが決まっている場合には、ＤＣＩによってＭＣＳを指定するための情報量を１ビットまで減らすことが可能になる。更に、パラメータセットに含まれるＭＣＳの数が１つである場合には、ＤＣＩによってＭＣＳを指定するための情報量を無くすことも可能になる。
【００３１】
具体的な処理手順について、以下に説明する。
【００３２】
図２は、本発明の実施例に係る無線通信システムの処理手順の一例を示すシーケンス図である。
【００３３】
事前に、無線パラメータをグループ化することにより、パラメータセット群が生成される。パラメータセット群は、システム内で予め定められてもよく、基地局ｅＮＢから上位レイヤ信号（例えば、ＳＩＢ（System  Information  Block））によってユーザ装置ＵＥに通知されてもよい。
【００３４】
次に、パラメータセット群の中から、パラメータセットが選択される。パラメータセットの選択は、基地局ｅＮＢにより行われてもよく、ユーザ装置ＵＥにより行われてもよい。また、パラメータセットは、カバレッジレベル（例えば、ＲＳＲＰ（Reference  Signal  Received  Power）、ＲＳＲＱ（Reference  Signal  Received  Quality）、パスロス、ＳＩＮＲ（Signal  to  Interference  to  Noise  Ratio））に関連付けられてもよい。カバレッジレベルは、基地局ｅＮＢのセル内のユーザ装置ＵＥの（おおまかな）場所の指標、基地局ｅＮＢからユーザ装置ＵＥまでの距離の指標、又は受信品質の指標を示してもよい。カバレッジレベルとパラメータセットとの関係（例えば、パラメータセット１を使用するべきかパラメータセット２を使用するべきかの判断に用いるカバレッジレベルの閾値）は、システム内で予め定められてもよく、上位レイヤ信号（例えば、ＳＩＢ）によって基地局ｅＮＢからユーザ装置ＵＥに通知されてもよい。
【００３５】
また、パラメータセットは、パケットサイズに関連付けられてもよい。パケットサイズは、送信バッファ内のデータ量を示してもよい。パケットサイズとパラメータセットとの関係（例えば、パラメータセット１を使用するべきかパラメータセット２を使用するべきかの判断に用いるパケットサイズの閾値）は、システム内で予め定められてもよく、上位レイヤ信号（例えば、ＳＩＢ）によって基地局ｅＮＢからユーザ装置ＵＥに通知されてもよい。
【００３６】
パラメータセットの選択が基地局ｅＮＢにより行われる場合、基地局ｅＮＢは、パラメータセット群の中からパラメータセットを選択し（ステップＳ１０１）、選択されたパラメータセットをユーザ装置ＵＥに通知する（ステップＳ１０３）。パラメータセットは、カバレッジレベル、パケットサイズ等に基づいて選択されてもよい。
【００３７】
例えば、基地局ｅＮＢとユーザ装置ＵＥとの間にＲＲＣ（Radio  Resource  Control）コネクションが確立されている場合、基地局ｅＮＢは、ユーザ装置ＵＥからのメジャメントレポートに基づいて、パラメータセットを選択してもよい。また、例えば、基地局ｅＮＢは、ユーザ装置ＵＥからのバッファステータスレポートに基づいて、上り信号に適用するパラメータセットを選択してもよく、基地局ｅＮＢ内のデータ量に基づいて、下り信号に適用するパラメータセットを選択してもよい。
【００３８】
次に、ユーザ装置ＵＥは、パラメータセット群の中からパラメータセットを選択する（ステップＳ１０５）。ステップＳ１０１及びＳ１０３によって基地局ｅＮＢが選択したパラメータセットが通知された場合、ユーザ装置ＵＥは、通知されたパラメータセットを選択してもよい。或いは、ユーザ装置ＵＥは、基地局ｅＮＢからの通知を必要とせずに、カバレッジレベル、パケットサイズ等に基づいてパラメータセットを選択してもよい。
【００３９】
例えば、ユーザ装置ＵＥは、基地局ｅＮＢとのランダムアクセスを行う場合、カバレッジレベル（例えば、ＲＳＲＰ、ＲＳＲＱ、パスロス、ＳＩＮＲ）の測定結果に基づいて物理ランダムアクセスチャネル（ＰＲＡＣＨ：Physical  Random  Access  Chanel）を送信するためのＰＲＡＣＨリソースを選択する。このとき、カバレッジレベル（例えば、ＲＳＲＰ、ＲＳＲＱ、パスロス、ＳＩＮＲ）毎に異なるＰＲＡＣＨリソースが割り当てられることになる。
【００４０】
図３は、パラメータセットとＰＲＡＣＨリソースとの関係の一例を示す図である。パラメータセットは、ＰＲＡＣＨリソースに関連付けられ、ユーザ装置ＵＥは、ＰＲＡＣＨリソースに基づいてパラメータセットを選択してもよい。パラメータセットとＰＲＡＣＨリソースとの関係は、システム内で予め定められてもよく、上位レイヤ信号（例えば、ＳＩＢ）によって基地局ｅＮＢからユーザ装置ＵＥに通知されてもよい。また、例えば、ユーザ装置ＵＥは、ユーザ装置ＵＥの送信バッファ内のデータ量に基づいてパラメータセットを選択してもよい。
【００４１】
ユーザ装置ＵＥは、測定したＲＳＲＰとカバレッジレベルを決めるための閾値を比較してカバレッジレベルを決定し、パラメータセットやカバレッジレベルに関連付けられたＰＲＡＣＨリソースを選択し、ＲＡＣＨプリアンブル信号を送信する。ここで、カバレッジレベルを決めるための閾値は予め決められていても良いし、上位レイヤ信号（例えば、ＳＩＢ）によって基地局ｅＮＢからユーザ装置ＵＥに通知されてもよい。基地局ｅＮＢは、受信したＰＲＡＣＨリソースに基づき、ユーザ装置ＵＥのカバレッジレベル、および適したパラメータセット情報を取得することが出来るので、Ｍｅｓｓａｇｅ  ２以降のパラメータセットを適切に選択することが出来る。図２には基地局ｅＮＢがパラメータセットを選択してユーザ装置ＵＥに通知する場合を示しているが、ユーザ装置ＵＥがパラメータセットを選択して上り信号を送信し（ステップＳ１０５〜Ｓ１０６）、基地局ｅＮＢがパラメータセットを決定することも可能である。すなわち、図２のステップＳ１０５〜Ｓ１０６の後に、ステップＳ１０１及びＳ１０７〜Ｓ１０９が実行されてもよい。この場合、ユーザ装置ＵＥにおいてパラメータセットが先に選択されているため、基地局ｅＮＢからユーザ装置ＵＥへのパラメータセットの通知は行われなくてもよい。
【００４２】
例えば、ＲＲＣコネクションが確立される前まではユーザ装置ＵＥがパラメータセットを選択し（ステップＳ１０５）、ＲＲＣコネクションが確立された後は基地局ｅＮＢがパラメータセットを選択してユーザ装置ＵＥに通知する（ステップＳ１０１〜Ｓ１０５）ことも可能である。また、ＲＲＣコネクションの確立に拘わらず、ユーザ装置ＵＥがパラメータセットを選択してもよく、基地局ｅＮＢがパラメータセットを選択してユーザ装置ＵＥに通知してもよい。
【００４３】
次に、基地局ｅＮＢは、ステップＳ１０１において選択されたパラメータセットの中から、無線パラメータを選択する（ステップＳ１０７）。なお、基地局ｅＮＢがユーザ装置ＵＥから受信したＰＲＡＣＨリソースに基づきパラメータセットを選択した場合も、基地局ｅＮＢは、選択されたパラメータセットの中から無線パラメータを選択する。基地局ｅＮＢは、信号の送信又は受信のために無線パラメータ（例えば、ＭＣＳ、ＴＢＳ、送信電力等）を決定する必要があるが、無線パラメータは、選択されたパラメータセットの中から選択される。
【００４４】
また、基地局ｅＮＢは、信号の送信又は受信のために無線リソース（例えば、時間・周波数リソース）を決定する（ステップＳ１０９）。例えば、非直交多元接続（ＮＯＭＡ：Non-Orthogonal  Multiple  Access）と呼ばれる技術を使用して、同じ無線リソースに複数のユーザ装置の信号が多重された場合であっても、基地局ｅＮＢは、例えばパスロスの差を利用して、干渉キャンセラを備えた受信機によって信号を分離することができる。しかし、干渉を低減するために、無線リソースは、パラメータセットに固有の無線リソース群の中から決定することが好ましい。
【００４５】
図４は、パラメータセットと時間・周波数リソース群との関係の一例を示す図である。パラメータセット毎に、信号の送信又は受信のために使用可能な無線リソース群が異なってもよい。複数のパラメータセットで使用可能な無線リソースが存在してもよく（例えば、時間リソースｔ１・周波数リソースｆ１は、パラメータセット１、３、４で使用可能）、１つのみのパラメータセットで使用可能な無線リソースが存在してもよい（例えば、時間リソースｔ１・周波数リソースｆ３は、パラメータセット２のみで使用可能）。パラメータセットにおいてどの無線リソースが使用可能であるかという情報は、システム内で予め定められてもよく、パラメータセットに含めて上位レイヤ信号（例えば、ＳＩＢ）によってユーザ装置ＵＥに通知されてもよく、パラメータセットとは別に上位レイヤ信号（例えば、ＳＩＢ）によってユーザ装置ＵＥに通知されてもよい。
【００４６】
例えば、図４に示すように、パラメータセット１が選択された場合、基地局ｅＮＢは、時間リソースｔ１・周波数リソースｆ１、時間リソースｔ１・周波数リソースｆ２、時間リソースｔ２・周波数リソースｆ３、時間リソースｔ２・周波数リソースｆ４、・・・で構成される無線リソース群の中から無線リソースを決定する。
【００４７】
パラメータセットが決まることにより、使用可能な無線リソース群が制限されるが、複数のユーザ装置が同じ無線リソースを使用すると、衝突が発生して再送が生じたり、基地局ｅＮＢにおける信号の検出処理が複雑となる。従って、再送が生じないよう、あるいはＮＯＭＡに好ましい干渉キャンセラを適用できるよう、できるだけ複数のユーザ装置が同じ無線リソースを使用しないように、基地局ｅＮＢがユーザ装置ＵＥに固有の無線リソースを設定することが好ましい。
【００４８】
図５は、衝突を軽減するための時間・周波数リソースの設定例を示す図である。例えば、図５に示すように、パラメータセット１に対応するユーザ装置ＵＥ＃１には、パラメータセット１で使用可能な時間・周波数リソース群の中から、時間リソースｔ１・周波数リソースｆ１、時間リソースｔ３・周波数リソースｆ３（図５においてＤ１で示す）が割り当てられ、パラメータセット１に対応するユーザ装置ＵＥ＃２には、パラメータセット１で使用可能な時間・周波数リソース群の中から、時間リソースｔ３・周波数リソースｆ２、時間リソースｔ２・周波数リソースｆ３（図５においてＤ２で示す）が割り当てられる。図５は、同じパラメータセット１に属するユーザ装置ＵＥ＃１及びＵＥ＃２に異なる時間・周波数リソースが割り当てられる例を示しているが、１つ以上の同じ時間・周波数リソースがユーザ装置ＵＥ＃１及びＵＥ＃２に割り当てられてもよい。
【００４９】
無線リソースは、パラメータセットによって決まる使用可能な無線リソース群の中から、ユーザ装置ＵＥに固有の識別子（ＵＥ−ＩＤ）（例えば、Ｃ−ＲＮＴＩ（Cell  Radio  Network  Temporary  Identifier））に基づいて決定されてもよい。例えば、無線リソースは、ＵＥ−ＩＤを用いたハッシュ関数の計算結果に基づいて決定されてもよい。また、同じユーザ装置ＵＥが常に同じリソースを使用することを回避するため、このハッシュ関数の計算に、ＵＥ−ＩＤの他に、システムフレーム番号（ＳＦＮ：System Frame Number）が用いられてもよい。更に、ハッシュ関数の計算に、セルＩＤ等が用いられてもよい。ハッシュ関数の計算結果によって、同じ時間・周波数リソースが複数のユーザ装置に割り当てられてもよい。
【００５０】
また、無線リソースは、パラメータセットによって決まる使用可能な無線リソース群の中から、基地局ｅＮＢのスケジューリングによって決定されてもよい。基地局ｅＮＢは、同じ時間・周波数リソースを複数のユーザ装置に割り当ててもよく、同じ時間・周波数リソースが複数のユーザ装置により使用されないように、時間・周波数リソースを割り当ててもよい。
【００５１】
基地局ｅＮＢは、ステップＳ１０７において選択された無線パラメータ及びステップＳ１０９において決定された無線リソースを下り制御情報（ＤＣＩ）によってユーザ装置ＵＥに通知する（ステップＳ１１１）。ＤＣＩは、下りではＤＬスケジューリング情報（DL  Scheduling  Information）、あるいはＤＬ割り当て（DL  Assignment）と呼ばれ、上りではＵＬグラント（UL  grant）と呼ばれる。なお、パラメータセットによって無線パラメータが一意に決まる場合には、基地局ｅＮＢは、無線パラメータを通知しなくてもよい。更に、以下に説明するようにユーザ装置ＵＥにおいても基地局ｅＮＢと同じハッシュ関数を用いて無線リソースを決定できる場合には、基地局ｅＮＢは、無線リソースを通知しなくてもよい。また、一部の無線リソースにおいて任意のユーザ装置の信号の送受信を許容して、基地局ｅＮＢからのＤＣＩなしに、ユーザ装置ＵＥが信号を送信することも可能である。
【００５２】
基地局は、下り制御情報（ＤＣＩ）を、ステップＳ１０１において選択されたパラメータセットに固有の識別子（ここでは、パラメータセット固有のＲＮＴＩと呼ぶ）を用いてスクランブリングしてもよい。
【００５３】
次に、ユーザ装置ＵＥは、ステップＳ１０５において選択されたパラメータセットの中から、無線パラメータを選択する（ステップＳ１１３）。ステップＳ１０７及びＳ１０９によって基地局ｅＮＢが選択した無線パラメータがＤＣＩによって通知された場合、ユーザ装置ＵＥは、通知された無線パラメータを選択してもよい。ＤＣＩがパラメータセット固有のＲＮＴＩを用いてスクランブリングされている場合、ユーザ装置ＵＥは、ステップＳ１０５において選択されたパラメータセットに対応するパラメータセット固有のＲＮＴＩを用いてスクランブリングを解除してもよい。更に、パラメータセット固有のＲＮＴＩは、パラメータセットのインデックス、ＰＲＡＣＨやＲＡＣＨ手順中に用いられる物理チャネル（ＰＤＣＣＨやＰＤＳＣＨ）の時間、周波数、符号などの無線パラメータから導出されても良い。なお、パラメータセットによって無線パラメータが一意に決まる場合には、ユーザ装置ＵＥは、基地局ｅＮＢからの通知を必要とせずに、パラメータセットによって一意に決まる無線パラメータを選択してもよい。
【００５４】
また、ユーザ装置ＵＥは、ステップＳ１０５において選択されたパラメータセットに固有の無線リソース群の中から、無線リソースを選択する（ステップＳ１１５）。ステップＳ１０７及びＳ１０９によって基地局ｅＮＢが選択した無線リソースがＤＣＩによって通知された場合、ユーザ装置ＵＥは、通知された無線リソースを選択してもよい。
【００５５】
一方、図５を参照して説明したように、ユーザ装置ＵＥは、パラメータセットによって決まる使用可能な無線リソース群の中から、ユーザ装置ＵＥに固有の識別子（ＵＥ−ＩＤ）に基づいて無線リソースを選択してもよい。例えば、無線リソースは、ＵＥ−ＩＤを用いたハッシュ関数の計算結果に基づいて決定されてもよい。また、同じユーザ装置ＵＥが常に同じリソースを使用することを回避するため、このハッシュ関数の計算に、ＵＥ−ＩＤの他に、システムフレーム番号（ＳＦＮ）が用いられてもよい。更に、ハッシュ関数の計算に、セルＩＤ等が用いられてもよい。
【００５６】
以上のように、無線パラメータ及び無線リソースが決定されると、ユーザ装置ＵＥは、決定された無線パラメータ及び無線リソースを用いて上り信号を送信し、基地局ｅＮＢは、決定された無線パラメータ及び無線リソースを用いて上り信号を受信する（ステップＳ１１７）。また、基地局ｅＮＢは、決定された無線パラメータ及び無線リソースを用いて下り信号を送信し、ユーザ装置ＵＥは、決定された無線パラメータ及び無線リソースを用いて下り信号を受信する（ステップＳ１１９）。
【００５７】
＜機能構成＞
図６は、本発明の実施例に係るユーザ装置の機能構成例を示す図である。図６に示すように、ユーザ装置ＵＥは、上り信号送信部１０１と、下り信号受信部１０３と、パラメータセット選択部１０５と、無線パラメータ選択部１０７と、リソース選択部１０９とを有する。図６は、ユーザ装置ＵＥにおいて本発明の実施例に特に関連する機能部のみを示すものであり、少なくともＬＴＥ／ＬＴＥ−Ａに準拠した動作を行うための図示しない機能も有するものである。また、図６に示す機能構成は一例に過ぎない。本実施例に係る動作を実行できるのであれば、機能区分や機能部の名称はどのようなものでもよい。
【００５８】
上り信号送信部１０１は、ユーザ装置ＵＥから送信されるべき各種の上り信号を生成し、送信する機能を有する。図２〜図５を参照して説明したように、上り信号送信部１０１は、パラメータセットの中から選択された無線パラメータを用いて上り信号を送信する。
【００５９】
下り信号受信部１０３は、基地局ｅＮＢから各種の下り信号を受信する機能を有する。図２〜図５を参照して説明したように、下り信号受信部１０３は、パラメータセットの中から選択された無線パラメータを用いて下り信号を受信する。基地局ｅＮＢからの下り信号には、下り制御情報（ＤＣＩ）も含まれており、ＤＣＩがパラメータセットに固有の識別子を用いてスクランブリングされている場合、下り信号受信部１０３は、パラメータセットに固有の識別子を用いてＤＣＩを受信する。
【００６０】
上り信号送信部１０１及び下り信号受信部１０３はそれぞれ、バッファを備え、レイヤ１（ＰＨＹ：Physical  layer）、レイヤ２（ＭＡＣ：Media  Access  Control  layer、ＲＬＣ：Radio  Link  Control  layer、ＰＤＣＰ：Packet  Data  Convergence  Protocol  layer）及びレイヤ３（ＲＲＣ：Radio  Resource  Control  layer）の処理を行うことを想定している（ただし、これに限られるわけではない）。
【００６１】
パラメータセット選択部１０５は、上り信号の送信又は下り信号の受信のために用いられる無線パラメータをグループ化することにより生成されたパラメータセット群の中から、パラメータセットを選択する。図２〜図５を参照して説明したように、パラメータセットは、カバレッジレベル、パケットサイズ等に基づいて選択されてもよい。
【００６２】
無線パラメータ選択部１０７は、選択されたパラメータセットの中から、上り信号又は下り信号に適用する無線パラメータを選択する。無線パラメータは、基地局ｅＮＢから下り制御情報（ＤＣＩ）によって通知されてもよい。
【００６３】
リソース選択部１０９は、上り信号の送信又は下り信号の受信を行うための無線リソースを選択する。無線リソースは、選択されたパラメータセットに固有の無線リソース群の中から選択されてもよい。また、無線リソースは、パラメータセットに固有の無線リソース群の中から、ユーザ装置ＵＥに固有の識別子を用いたハッシュ関数の計算結果に基づいて選択されてもよい。或いは、無線リソースが基地局ｅＮＢによって決定され、基地局ｅＮＢからの通知（例えば、ＤＣＩによる通知）に基づいて無線リソースが選択されてもよい。
【００６４】
図７は、本発明の実施例に係る基地局の機能構成例を示す図である。図７に示すように、基地局ｅＮＢは、下り信号送信部２０１と、上り信号受信部２０３と、パラメータセット選択部２０５と、無線パラメータ選択部２０７と、リソース決定部２０９と、下り制御情報生成部２１１とを有する。図７は、基地局ｅＮＢにおいて本発明の実施例に特に関連する機能部のみを示すものであり、少なくともＬＴＥ／ＬＴＥ−Ａに準拠した動作を行うための図示しない機能も有するものである。また、図７に示す機能構成は一例に過ぎない。本実施例に係る動作を実行できるのであれば、機能区分や機能部の名称はどのようなものでもよい。
【００６５】
下り信号送信部２０１は、基地局ｅＮＢから送信されるべき各種の下り信号を生成し、送信する機能を有する。図２〜図５を参照して説明したように、下り信号送信部２０１は、パラメータセットの中から選択された無線パラメータを用いて下り信号を送信する。
【００６６】
上り信号受信部２０３は、ユーザ装置ＵＥから各種の上り信号を受信する機能を有する。図２〜図５を参照して説明したように、上り信号受信部２０３は、パラメータセットの中から選択された無線パラメータを用いて上り信号を受信する。
【００６７】
パラメータセット選択部２０５は、上り信号の受信又は下り信号の送信のために用いられる無線パラメータをグループ化することにより生成されたパラメータセット群の中から、パラメータセットを選択する。図２〜図５を参照して説明したように、パラメータセットは、カバレッジレベル、パケットサイズ等に基づいて選択されてもよい。
【００６８】
無線パラメータ選択部２０７は、選択されたパラメータセットの中から、上り信号又は下り信号に適用する無線パラメータを選択する。
【００６９】
リソース決定部２０９は、上り信号の受信又は下り信号の送信を行うための無線リソースを決定する。無線リソースは、選択されたパラメータセットに固有の無線リソース群の中から決定されてもよい。また、無線リソースは、パラメータセットに固有の無線リソース群の中から、ユーザ装置ＵＥに固有の識別子を用いたハッシュ関数の計算結果に基づいて決定されてもよい。或いは、無線リソースは、基地局ｅＮＢのスケジューリングによって決定されてもよい。
【００７０】
下り制御情報生成部２１１は、無線パラメータ及び／又は無線リソースが決定された場合、無線パラメータ及び／又は無線リソースを含む下り制御情報（ＤＣＩ）を生成する。ＤＣＩは、パラメータセットに固有の識別子を用いてスクランブリングされてもよい。
【００７１】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵ（Central  Processing  Unit）とプログラムとで実現してもよい。
【００７２】
＜ハードウェア構成＞
図８は、本発明の実施例に係るユーザ装置のハードウェア構成例を示す図である。図８は、図６よりも実装例に近い構成を示している。図８に示すように、ユーザ装置ＵＥは、無線信号に関する処理を行うＲＦ（Radio Frequency）モジュール３０１と、ベースバンド信号処理を行うＢＢ（Base Band）処理モジュール３０２と、上位レイヤ等の処理を行うＵＥ制御モジュール３０３とを有する。
【００７３】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図６に示す上り信号送信部１０１の一部及び下り信号受信部１０３の一部を含む。
【００７４】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図６に示す上り信号送信部１０１の一部及び下り信号受信部１０３の一部を含む。
【００７５】
ＵＥ制御モジュール３０３は、ＩＰレイヤのプロトコル処理、各種アプリケーションの処理等を行う。プロセッサ３１３は、ＵＥ制御モジュール３０３が行う処理を行うプロセッサである。メモリ３２３は、プロセッサ３１３のワークエリアとして使用される。ＵＥ制御モジュール３０３は、例えば、図６に示すパラメータセット選択部１０５、無線パラメータ選択部１０７及びリソース選択部１０９を含む。
【００７６】
図９は、本発明の実施例に係る基地局のハードウェア構成例を示す図である。図９は、図７よりも実装例に近い構成を示している。図９に示すように、基地局ｅＮＢは、無線信号に関する処理を行うＲＦモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【００７７】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図７に示す下り信号送信部２０１の一部及び上り信号受信部２０３の一部を含む。
【００７８】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図７に示す下り信号送信部２０１の一部、上り信号受信部２０３の一部及び下り制御情報生成部２１１の一部を含む。
【００７９】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図７に示すパラメータセット選択部２０５、無線パラメータ選択部２０７、リソース決定部２０９及び下り制御情報生成部２１１の一部を含む。
【００８０】
＜本発明の実施例の効果＞
本発明の実施例によれば、データを送受信するための制御情報を低減することが可能になり、端末の同時接続数が増加しても、制御情報がボトルネックとなることを低減することが可能になる。特に、ＭＴＣ端末に対して基地局が制御情報を繰り返し送信することが検討されており、このような場合においても制御情報を低減することが可能になる。
【００８１】
また、パラメータセットをカバレッジレベルに関連付けることにより、複数のユーザ装置が同じ無線リソースを使用しても、例えばパスロスの差を利用して信号を分離することが容易になる。
【００８２】
更に、パラメータセットによって使用可能な無線リソースを制限することにより、無線リソースの干渉を軽減することが可能になる。
【００８３】
また、無線リソースを基地局及びユーザ装置によってハッシュ関数により計算することで、無線リソースの衝突を軽減することが可能になり、また、基地局とユーザ装置との間の制御情報を更に低減することが可能になる。
【００８４】
＜補足＞
以上、本発明の実施例で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施例で説明する処理のロジックを備えたハードウェア回路等のハードウェアで実現される構成であってもよいし、プログラムとハードウェアが混在していてもよい。
【００８５】
以上、本発明の実施例を説明してきたが、開示される発明はそのような実施例に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施例で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施例に従ってユーザ装置ＵＥが有するプロセッサにより動作するソフトウェア及び本発明の実施例に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８６】
以上、データを送受信するための制御情報を低減するための手法について説明したが、本発明は、上記の実施例に限定されることなく、請求の範囲内において、種々の変更・応用が可能である。
【００８７】
本国際出願は２０１６年３月３１日に出願した日本国特許出願２０１６−０７３４５８号に基づく優先権を主張するものであり、２０１６−０７３４５８号の全内容を本国際出願に援用する。
【符号の説明】
【００８８】
ＵＥ    ユーザ装置
ｅＮＢ  基地局
１０１  上り信号送信部
１０３  下り信号受信部
１０５  パラメータセット選択部
１０７  無線パラメータ選択部
１０９  リソース選択部
２０１  下り信号送信部
２０３  上り信号受信部
２０５  パラメータセット選択部
２０７  無線パラメータ選択部
２０９  リソース決定部
２１１  下り制御情報生成部
３０１  ＲＦモジュール
３０２  ＢＢ処理モジュール
３０３  ＵＥ制御モジュール
３１２  ＤＳＰ
３１３  プロセッサ
３２２  メモリ
３２３  メモリ
４０１  ＲＦモジュール
４０２  ＢＢ処理モジュール
４０３  装置制御モジュール
４０４  通信ＩＦ
４１２  ＤＳＰ
４１３  プロセッサ
４２２  メモリ
４２３  メモリ
４３３  補助記憶装置
【図１】
2017170822.tif 000003
【図２】
2017170822.tif 000004
【図３】
2017170822.tif 000005
【図４】
2017170822.tif 000006
【図５】
2017170822.tif 000007
【図６】
2017170822.tif 000008
【図７】
2017170822.tif 000009
【図８】
2017170822.tif 000010
【図９】
2017170822.tif 000011
【国際調査報告】
2017170822.tif 000012
2017170822.tif 000013
2017170822.tif 000014